(57)【特許請求の範囲】
【請求項１】
ユーザに携帯可能な複数のキー装置と、各キー装置との間で無線通信をして施錠又は解錠をする錠装置とからなる施錠／解錠システムにおいて、
上記錠装置との間で情報を送受信する第１無線送受信手段と、キー番号情報、他のキー装置と識別するための情報であるキーＩＤ情報及び他のキー装置及び錠装置と共通して保有するブロードＩＤを記憶する第１記憶手段と、上記錠装置からの要求に応じて上記キー番号情報及びキーＩＤ情報の送信を制御する第１制御手段とを有するキー装置と、
上記キー装置の第１無線送受信手段との間で情報を送受信する第２無線送受信手段と、各キー装置に対応したキー番号情報及びキーＩＤ情報、及び複数のキー装置と共通して保有するブロードＩＤを記憶する第２記憶手段と、ドアの施錠及び解錠動作をする施錠／解錠手段と、解錠要求に応じて上記ブロードＩＤを含む情報送信要求を上記キー装置に送信し、上記ブロードＩＤを保有する上記キー装置からの応答信号に含まれるキー番号情報及びキーＩＤ情報を認識して施錠又は解錠するように上記施錠／解錠手段を制御する第２制御手段とを有する錠装置とを備え、
上記キー装置は、上記錠装置から送信されたブロードＩＤを含む情報送信要求を受信し、受信した情報送信要求に含まれるブロードＩＤと、上記第１記憶手段に記憶されているブロードＩＤとの照合をし、一致したときには記憶しているキー番号情報及びキーＩＤ情報を応答信号として上記錠装置に送信し、
上記錠装置の第２制御手段は、上記ブロードＩＤを保有する上記キー装置からの応答信号に含まれるキー番号情報及びキーＩＤ情報を認識して施錠又は解錠し、
上記キー番号情報は、優先度を表し、
上記錠装置の第２制御手段は、上記ブロードＩＤを保有する上記キー装置からの応答信号に含まれるキー番号情報又はキーＩＤ情報を認識できなかった場合に、優先度の高いキー番号情報から処理を開始し、当該キー番号情報を含む情報送信要求を上記キー装置に送信し、上記キー装置の第１制御手段は、送信された情報送信要求を受信し、受信した情報送信要求に応じてキー番号情報及びキーＩＤ情報を含む応答信号を生成して上記錠装置に送信し、上記錠装置の第２制御手段は、上記キー装置から受信したキー番号情報が上記情報送信要求に含めたキー番号情報であり、当該キー番号情報に対応して上記第２記憶手段に記憶されているキーＩＤ情報が、上記キー装置から受信したキーＩＤ情報である場合に、施錠又は解錠をすること
を特徴とする施錠／解錠システム。
【請求項２】
上記錠装置は、解錠するに際して操作される施錠／解錠操作入力部を更に備え、
上記第２制御手段は、上記施錠／解錠操作入力部が操作されたことによる施錠要求又は解錠要求に応じて情報送信要求を送信すること
を特徴とする請求項１記載の施錠／解錠システム。
【請求項３】
ユーザに携帯可能な複数のキー装置と錠装置との間で無線通信をして施錠又は解錠をする施錠／解錠方法において、
施錠要求又は解錠要求を上記錠装置で入力するステップと、
上記錠装置と上記キー装置とで共通して保有するブロードＩＤを含む情報送信要求を上記錠装置から上記キー装置に送信するステップと、
上記キー装置が、上記錠装置から送信されたブロードＩＤを含む情報送信要求を受信し、受信した情報送信要求に含まれるブロードＩＤと、内部のメモリに記憶されたブロードＩＤとの照合をし、一致したときには、内部のメモリに記憶されたキー番号情報及び他のキー装置と識別するためのキーＩＤ情報を読み出して上記錠装置に応答信号として送信するステップと、
上記ブロードＩＤを保有する上記キー装置からの応答信号に含まれるキー番号情報及びキーＩＤ情報を認識して上記錠装置によりドアの施錠又は解錠をするステップとを有し、
上記キー番号情報は、優先度を表し、
上記ドアの施錠又は解錠をするステップは、上記ブロードＩＤを保有する上記キー装置からの応答信号に含まれるキー番号情報又はキーＩＤ情報を認識できなかった場合に、優先度の高いキー番号情報から処理を開始し、当該キー番号情報を含む情報送信要求を上記キー装置に送信し、上記キー装置は、送信された情報送信要求を受信し、受信した情報送信要求に応じてキー番号情報及びキーＩＤ情報を含む応答信号を生成して上記錠装置に送信し、上記錠装置は、上記キー装置から受信したキー番号情報が上記情報送信要求に含めたキー番号情報であり、当該キー番号情報に対応して上記記憶されているキーＩＤ情報が、上記キー装置から受信したキーＩＤ情報である場合に、施錠又は解錠をすること
を特徴とする施錠／解錠方法。
【請求項４】
上記錠装置で施錠要求又は解錠要求を入力するステップにおいて、
上記錠装置に設置された施錠又は解錠するに際して操作される施錠／解錠操作入力部が操作され、施錠要求又は解錠要求を入力すること
を特徴とする請求項３記載の施錠／解錠方法。
【発明の詳細な説明】
【０００１】
【発明の属する技術分野】
本発明は、錠装置と、キー装置との無線通信による施錠又は解錠をするシステムに関するものであり、詳しくは施錠又は解錠を行う時間を短縮させる施錠／解錠システム及び施錠／解錠方法に関するものである。
【０００２】
【従来の技術】
自身のＩＤを送信する携帯キー装置と、携帯キー装置の送信するＩＤを受信する錠装置とからなり、無線通信によるＩＤ照合結果に基づいて施解錠を行う住宅用施錠／解錠システムが従来より知られている。
【０００３】
この住宅用施錠／解錠システムでは、携帯キー装置に与えられるＩＤが同一だと、携帯キー装置を紛失した場合のサービス提供の仕方に問題が生じ、さらに生産面においても携帯キー装置のＩＤを管理する必要性が発生するため、複数の携帯キー装置にはそれぞれ固有のＩＤが与えることが望ましい。
【０００４】
それぞれ固有のＩＤを有する携帯キー装置が登録されている住宅用施錠／解錠システムでは、携帯キー装置と錠装置との無線電波通信可能範囲内に同時に複数の携帯キー装置が存在する場合であっても、各携帯キー装置に同一周波数の無線信号を配信することによる混信が生じないようにするため、携帯キー装置には登録時にそれぞれキー番号情報が与えられる。
【０００５】
錠装置は、施解錠をする際、無線電波通信可能範囲内にある全ての携帯キー装置にキー番号情報を含むリクエスト信号を順次送信し、これに応じて携帯キー装置は当該キー装置に与えられたキー番号情報を含むリクエスト信号を受信した場合にのみキー番号情報及びＩＤを含む応答信号を錠装置に送信する。
【０００６】
錠装置は、応答信号に含まれるキー番号情報に対応するＩＤを記憶部から読み出し、応答信号に含まれるＩＤと照合して一致した場合に施錠又は解錠処理を行っている。
【０００７】
このようにして携帯キー装置にキー番号情報を与え、錠装置が携帯キー装置に順次アクセスをすることで、複数の携帯キー装置が同時に応答することによる混信を避けていた。
【０００８】
【発明が解決しようとする課題】
しかし、上述の施錠又は解錠処理では、携帯キー装置に与えられたキー番号情報が後の方である携帯キー装置だとアクセスされる順番を待つ必要があり、施錠又は解錠処理に時間を要してしまうといった問題があった。
【０００９】
さらに、登録可能な携帯キー装置の数が増えれば増えるほど、この傾向が強くなってしまうという問題があり、アクセス順番が後になるキー番号情報を格納した携帯キー装置を保有するユーザにとっては錠装置の応答時間に対して不満を持つ場合があった。
【００１０】
更に、錠装置からみれば、携帯キー装置との間での応答時間が長くなって消費電力が多くなり、特に、内蔵電池を電源として使用している錠装置では電池消耗が早くなるという問題点があった。
【００１１】
そこで、本発明は上述したような問題を解決するために案出されたものであり、複数のキー装置で錠装置の施錠及び解錠を行えるシステムにおいて、錠装置の解錠をするに際しての通信時間を短縮することができる施錠／解錠システム及び施錠／解錠方法を提供することを目的とする。
【００１２】
【課題を解決するための手段】
上述の目的を達成するために本発明の請求項１に係る施錠／解錠システムは、ユーザに携帯可能な複数のキー装置と、各キー装置との間で無線通信をして施錠又は解錠をする錠装置とからなる施錠／解錠システムにおいて、上記錠装置との間で情報を送受信する第１無線送受信手段と、キー番号情報、他のキー装置と識別するための情報であるキーＩＤ情報及び他のキー装置及び錠装置と共通して保有するブロードＩＤを記憶する第１記憶手段と、上記錠装置からの要求に応じて上記キー番号情報及びキーＩＤ情報の送信を制御する第１制御手段とを有するキー装置と、上記キー装置の第１無線送受信手段との間で情報を送受信する第２無線送受信手段と、各キー装置に対応したキー番号情報及びキーＩＤ情報、及び複数のキー装置と共通して保有するブロードＩＤを記憶する第２記憶手段と、ドアの施錠及び解錠動作をする施錠／解錠手段と、解錠要求に応じて上記ブロードＩＤを含む情報送信要求を上記キー装置に送信し、上記ブロードＩＤを保有する上記キー装置からの応答信号に含まれるキー番号情報及びキーＩＤ情報を認識して施錠又は解錠するように上記施錠／解錠手段を制御する第２制御手段とを有する錠装置とを備え、上記キー装置は、上記錠装置から送信されたブロードＩＤを含む情報送信要求を受信し、受信した情報送信要求に含まれるブロードＩＤと、上記第１記憶手段に記憶されているブロードＩＤとの照合をし、一致したときには記憶しているキー番号情報及びキーＩＤ情報を応答信号として上記錠装置に送信し、上記錠装置の第２制御手段は、上記ブロードＩＤを保有する上記キー装置からの応答信号に含まれるキー番号情報及びキーＩＤ情報を認識して施錠又は解錠し、上記キー番号情報は、優先度を表し、上記錠装置の第２制御手段は、上記ブロードＩＤを保有する上記キー装置からの応答信号に含まれるキー番号情報又はキーＩＤ情報を認識できなかった場合に、優先度の高いキー番号情報から処理を開始し、当該キー番号情報を含む情報送信要求を上記キー装置に送信し、上記キー装置の第１制御手段は、送信された情報送信要求を受信し、受信した情報送信要求に応じてキー番号情報及びキーＩＤ情報を含む応答信号を生成して上記錠装置に送信し、上記錠装置の第２制御手段は、上記キー装置から受信したキー番号情報が上記情報送信要求に含めたキー番号情報であり、当該キー番号情報に対応して上記第２記憶手段に記憶されているキーＩＤ情報が、上記キー装置から受信したキーＩＤ情報である場合に、施錠又は解錠をすることを特徴とする。
【００１３】
このような施錠／解錠システムでは、キー装置及び錠装置で共通したブロードＩＤを記憶し、解錠するに際して、どのキー装置であるかに拘わらず錠装置からキー装置にブロードＩＤを送出し、無線電波通信可能範囲に存在するキー装置から錠装置にキーＩＤ情報及びキー番号情報を送信して解錠をする。
【００１４】
請求項２に係る施錠／解錠システムにおいて、上記錠装置は、解錠するに際して操作される施錠／解錠操作入力部を更に備え、上記第２制御手段は、上記施錠／解錠操作入力部が操作されたことによる施錠要求又は解錠要求に応じて情報送信要求を送信することが望ましい。
【００１５】
このような施錠／解錠システムでは、施錠／解錠操作入力部が操作される前では無線通信を行わず、施錠／解錠操作入力部が操作されたことに応じて情報送信要求を送信する。
【００１６】
上述の目的達成するために、本発明の請求項３に係る施錠／解錠方法は、ユーザに携帯可能な複数のキー装置と錠装置との間で無線通信をして施錠又は解錠をする施錠／解錠方法において、施錠要求又は解錠要求を上記錠装置で入力するステップと、上記錠装置と上記キー装置とで共通して保有するブロードＩＤを含む情報送信要求を上記錠装置から上記キー装置に送信するステップと、上記キー装置が、上記錠装置から送信されたブロードＩＤを含む情報送信要求を受信し、受信した情報送信要求に含まれるブロードＩＤと、内部のメモリに記憶されたブロードＩＤとの照合をし、一致したときには、内部のメモリに記憶されたキー番号情報及び他のキー装置と識別するためのキーＩＤ情報を読み出して上記錠装置に応答信号として送信するステップと、上記ブロードＩＤを保有する上記キー装置からの応答信号に含まれるキー番号情報及びキーＩＤ情報を認識して上記錠装置によりドアの施錠又は解錠をするステップとを有し、上記キー番号情報は、優先度を表し、上記ドアの施錠又は解錠をするステップは、上記ブロードＩＤを保有する上記キー装置からの応答信号に含まれるキー番号情報又はキーＩＤ情報を認識できなかった場合に、優先度の高いキー番号情報から処理を開始し、当該キー番号情報を含む情報送信要求を上記キー装置に送信し、上記キー装置は、送信された情報送信要求を受信し、受信した情報送信要求に応じてキー番号情報及びキーＩＤ情報を含む応答信号を生成して上記錠装置に送信し、上記錠装置は、上記キー装置から受信したキー番号情報が上記情報送信要求に含めたキー番号情報であり、当該キー番号情報に対応して上記記憶されているキーＩＤ情報が、上記キー装置から受信したキーＩＤ情報である場合に、施錠又は解錠をすることを特徴とする。
【００１７】
このような施錠／解錠方法では、予めキー装置及び錠装置に共通のブロードＩＤをそれぞれに格納しておき、施錠要求又は解錠要求が発生したら、先ず錠装置からキー装置にブロードＩＤを送信し、無線通信範囲に存在するキー装置から錠装置にキー番号情報及びキーＩＤ情報を送信して、錠装置で施錠又は解錠をする。
【００１８】
請求項４に係る施錠／解錠方法では、上記錠装置で施錠要求又は解錠要求を入力するステップにおいて、上記錠装置に設置された施錠又は解錠するに際して操作される施錠／解錠操作入力部が操作され、施錠要求又は解錠要求を入力することが望ましい。
【００１９】
このような施錠／解錠方法では、施錠／解錠操作入力部が操作されたことに応じて入力された施錠要求又は解錠要求を入力した後に、情報送信要求をキー装置に送信する。
【００２０】
【発明の実施の形態】
以下、本発明に係る施錠／解錠システム及び施錠／解錠方法の実施の形態を図面を参照して詳細に説明する。
【００２１】
本発明は、例えば図１にブロック構成図を示すと共に図３に外観構成を示す錠装置１と、図２にブロック構成図を示すと共に図４に外観構成を示す複数のキー装置３０とから構成される住宅用パッシブシステムである住宅用施錠／解錠システムに適用される。
【００２２】
住宅用施錠／解錠システムは、例えば、住宅の屋内外への出入り口用のドアに設置される錠装置１と、例えば、ユーザである住宅の住人が所有するキー装置３０との無線信号の送受信によって錠装置１の錠を施解錠するシステムである。
【００２３】
この住宅用施錠／解錠システムの錠装置１は、住宅内からの電源を利用するのでなく（室内電源から配線しない）、錠装置３０に内蔵されている電池を利用して、キー装置３０との間で無線通信をする。
【００２４】
錠装置１とキー装置３０との間で無線信号の通信をすることができる無線電波通信可能範囲は、略１ｍ程度である。この無線電波通信可能範囲内にキー装置３０がある場合、錠装置１は所定の信号をキー装置３０へ送信することが可能となる。
【００２５】
錠装置１は、図１に示すように、後述の各部を動作させるための電源供給手段として機能する、内蔵型の電池２、電源回路３、電圧検出部４、錠装置１を初期設定に戻すためのリセット回路５、受信回路７及び入力処理回路１４に電池２からの電源を供給するための電源供給回路６を備える。
【００２６】
また、錠装置１は、キー装置３０との間で無線通信をするための受信回路７、アンサーバック信号受信アンテナ８を備える。この錠装置１では、キー装置３０からの無線信号をアンサーバック信号受信アンテナ８で受信して、受信回路７により所定の受信処理をして入力処理回路１４に供給する。
【００２７】
更に、錠装置１は、ユーザにより押圧操作される操作入力手段として機能する、施錠ボタン９、解錠ボタン１０、ＩＤ登録ボタン１１、電池交換ボタン１２、リセットキー１３を備える。これらのボタンは、図３に示すように錠装置１から外部に露呈して設けられ、ユーザに操作可能とされている。錠装置１では、各ボタンをスイッチ回路として構成しており、各ボタンが操作されることにより、操作されたスイッチ回路から操作入力信号として入力処理回路１４に供給する。
【００２８】
リセットキー１３は、キー装置３０のキーＩＤ情報を当該錠装置１に登録する際に使用され、リセットキー１３を押下することで錠装置１はキーＩＤ情報の登録モードとなる。
【００２９】
更にまた、錠装置１は、上述した受信回路７、複数のボタン、電源供給手段からの入力に基づいて動作をする入力処理回路１４、無線信号を送出するための駆動回路１５及びリクエスト信号送信アンテナ１６、ブザー音を放音するための駆動回路１７及びブザー１８、施解錠表示をするための駆動回路１９及び施解錠表示ＬＥＤ２０、機械的な施解錠を制御するための駆動回路２１及び施解錠モータユニット２２、電源を保護するための駆動回路２３及びバッテリーカバー２４、施解錠をするに際して使用する各種情報が格納されるＥＥＰＲＯＭ２５（Electrically Erasable Programmable Read Only Memorry）、上述の各部を制御する錠側ＣＰＵ（Centaral Prosessing Unit）２６、錠側ＣＰＵ２６を所定周波数で動作させるためのＯＳＣ２７を備えている。
【００３０】
入力処理回路１４は、施錠ボタン９、解錠ボタン１０、ＩＤ登録ボタン１１、電池交換ボタン１２からの入力に応じて所定の処理を実行し錠側ＣＰＵ２６へその旨を送出する。
【００３１】
駆動回路１５は、錠側ＣＰＵ２６の制御に応じてリクエスト信号送信アンテナ１６を制御してリクエスト信号をキー装置３０に送信する。
【００３２】
駆動回路１７は、錠側ＣＰＵ２６の制御に応じてブザー１８を制御して、所定の処理動作などを知らせるブザー音を出力させる。
【００３３】
駆動回路１９は、錠側ＣＰＵ２６の制御に応じて、例えば、施錠されている際に施解錠ＬＥＤ２０を発光させることでユーザにその旨を知らせる。
【００３４】
駆動回路２１、錠側ＣＰＵ２６の制御に応じて施解錠モータユニット２２を駆動させ施錠している錠を解錠したり、解錠されている錠を施錠したりする。
【００３５】
駆動回路２３は、電池２が格納されているボックスのバッテリーカバー２４のロック及びアンロックを行う。電池交換ボタン１２が押下された際、キー装置３０が無線電波通信可能範囲内にあると、錠側ＣＰＵ２６は駆動回路２３を制御してバッテリーカバー２４が取り外し可能な状態とする。なお、バッテリーカバー２４が取り外し可能な状態は電池交換ボタン１２がオン状態のときである。
【００３６】
ＥＥＰＲＯＭ（Electrically Erasable Programmable Read Only Memorry）２５は、複数のキー番号情報、複数のキーＩＤ情報及びブロードＩＤを記憶している電気的に消去可能な不揮発性のメモリである。ＥＥＰＲＯＭ２５に記憶されているキー番号情報とキーＩＤ情報とは、ユーザが所有するキー装置３０に固有のものであり、対にして記憶及び管理がなされる。キー番号情報及びキーＩＤ情報は登録処理をすることで所定の数だけ、例えば３対だけ記憶される。
【００３７】
錠側ＣＰＵ２６は、ＯＳＣ２７から発生するクロック周波数に基づいて、所定の演算し、錠装置１の各部を統括的に制御する。
【００３８】
更にまた、この錠装置１は、機械的な施解錠状態を検出するための施解錠状態検出スイッチ部２８を備える。この施解錠状態検出スイッチ部２８は、施錠状態であるときにはスイッチ端子２８ａが閉状態となり、解錠状態であるときにはスイッチ端子２８ｂが閉状態となり、スイッチ端子２８ａ、２８ｂの状態に応じた信号を入力処理回路１４に供給する。
【００３９】
更にまた、錠装置１は、室内側に設けられた室内セキュリティスイッチ２９を備える。この錠装置１では、室内セキュリティスイッチ２９が操作されることで、全てのキー装置３０による解錠を無効にする。
【００４０】
キー装置３０は、後述の各部を動作させるための電源供給手段として機能する、電池３１、電圧検出部３２及び降圧回路３３と、キー装置３０を初期設定状態に戻すためのリセット回路３４、受信回路３６と、データ入力回路３８に電池３１からの電源を供給する電源供給回路３５を備える。
【００４１】
また、キー装置３０は、錠装置１から送信されたリクエスト信号を受信するための受信回路３６、リクエスト信号受信アンテナ３７を備える。
【００４２】
このキー装置３０では、リクエスト信号受信アンテナ３７により錠装置１のリクエスト信号送信アンテナ１６から送信されたリクエスト信号を受信して受信回路３６に供給し、受信回路３６からキー側ＣＰＵ４４に供給する。
【００４３】
更に、キー装置３０は、データ入力回路３８、ウェイクＵＰ回路３９、アンサーバック信号送信アンテナ４０を備える。データ入力回路３８は、所定のデータをキー側ＣＰＵ４４に送出する。ウェイクＵＰ回路３９、アンサーバック信号送信アンテナ４０は、キー側ＣＰＵ４４の制御に応じて錠装置１にアンサーバック信号を送信する。
【００４４】
更にまた、キー装置３０は、ブザー音を放音するための駆動回路４１、ブザー４２を備える。このキー装置３０では、キー側ＣＰＵ４４からの制御信号に応じて駆動回路４１が動作してブザー４２を動作させる。
【００４５】
更にまた、キー装置３０は、ＥＥＰＲＯＭ４３、キー側ＣＰＵ４４、ＯＳＣ４５を備える。
【００４６】
ＥＥＰＲＯＭ４３は、電気的に消去可能な不揮発性のメモリでありキーＩＤ情報、ブロードＩＤを記憶しており、キー側ＣＰＵ４４によりその内容が読み込まれる。
【００４７】
キー側ＣＰＵ４４は、ＯＳＣ４５から発生するクロック周波数に基づいて、所定の演算をし、キー装置３０の各部を統括的に制御する。
【００４８】
錠装置１にキー装置３０が複数登録されている場合でも、各キー装置３０のＥＥＰＲＯＭ４３に記憶されているブロードリクエストは共通であり、ブロードリクエストに含まれるブロードＩＤは、錠装置１のＥＥＰＲＯＭ２５に記憶されているブロードＩＤと同一である。
【００４９】
例えば、同一家屋に住居する家族が保有する各キー装置３０のＥＥＰＲＯＭ４３には共通のブロードリクエストを格納すると共に、錠装置１には各キー装置３０のＥＥＰＲＯＭ４３に格納されたブロードＩＤ（ブロードリクエスト内に格納）が格納されている。
【００５０】
更に具体的には、錠装置１で３つのキー装置３０が登録されている場合、キー装置３０のキーＩＤをそれぞれ「００００１」、「０００１０」、「０００１１」とすると、ブロードＩＤは「１００００」と規定される。
【００５１】
図１及び図２でブロック図として示した住宅用施錠／解錠システムの錠装置１及びキー装置３０の外観構成の一例を図３及び図４に示す。
【００５２】
例えば、錠装置１は、住宅の屋内外への出入り口用のドアに設置されている。錠装置１では図３に破線で示す位置に、電池２、受信回路７、アンサーバック信号受信アンテナ８、リクエスト信号送信アンテナ１６、ブザー１８、施解錠モータユニット２２、送受信切り替えスイッチ２８が配置されている。また、図３の実線で示す位置に施錠ボタン９、解錠ボタン１０、ＩＤ登録ボタン１１、電池交換ボタン１２、ドアの開閉をするための持ち手であるドアノブ１ａが配置されている。また、錠装置１の室内側には、室内セキュリティスイッチ２９が設けられ、室内から操作可能とされている。
【００５３】
キー装置３０は図４に破線で示す位置に、電池３１、リクエスト信号受信アンテナ３６、アンサーバック信号送信アンテナ４０が配置されている。また、図４に実線で示す位置に、電池３１を格納するための電池蓋４６、キー装置３０を初期設定に戻すリセットスイッチであるリセットキーリング孔４７が配置されている。
【００５４】
続いて、キー装置３０を錠装置１へ登録する動作について説明をする。住宅用施錠／解錠システムを利用するには、キー装置３０に割り当てられているキーＩＤ情報を錠装置１へ登録させる必要がある。
【００５５】
まず、リセットキー１３をオン状態にし、錠装置１を登録モードとし、錠装置１の無線電波通信可能範囲内に登録を希望するキー装置３０を配置する。
【００５６】
続いて、ＩＤ登録ボタンを１度押下すると、錠装置１の錠側ＣＰＵ２６は、キー装置３０にキー番号情報「１」を与え、キー番号情報「１」を送信する。キー装置３０のキー側ＣＰＵ４４は、受信したキー番号情報をＥＥＰＲＯＭ４３にキーＩＤ情報と対にして記憶させる。これに対し、キー装置３０は、キーＩＤ情報を錠装置１へ送信する。錠側ＣＰＵ２６は受信したキーＩＤ情報をＥＥＰＲＯＭ２５にキー番号情報と対にして記憶させる。
【００５７】
登録が完了すると錠側ＣＰＵ２６は駆動回路１７、ブザー１８を制御して登録完了を知らせるブザー音を放音させる。
【００５８】
キーＩＤ情報が１つ登録されるとするとＥＥＰＲＯＭ２５に登録されていたキーＩＤ情報は全て消去されるので、登録したいキー装置３０が複数ある場合はこれに続けて登録する必要がある。
【００５９】
以下、登録したいキー装置３０を錠装置１の無線電波通信可能範囲内に配置し、ＩＤ登録ボタンを押下してキーＩＤ情報の登録を行う。次に登録を行うキー装置３０のキー番号情報は「２」、その次のキー番号情報は「３」が順次割り当てられる。
【００６０】
オン状態にしてあるリセットキー１３をオフにすると登録モードは終了する。
【００６１】
なお、登録可能個数を超えて登録作業がなされた場合には、登録は無効とされ登録完了を知らせるブザー音も出力されない。また、リセットキーをオン状態で施錠ボタン９、解錠ボタン１０を同時に押下するとＥＥＰＲＯＭ２５に登録されたキーＩＤ情報は全て消去される。
【００６２】
続いて、図５及び図６に示すフローチャートを用いて、施錠された錠装置１を解錠する際の動作について説明をする。
【００６３】
なお、このフローチャートにおいては、説明のため住宅用施錠／解錠システム登録されているキー装置３０の数を３つとし、それぞれのキー装置３０に与えられたキー番号情報はそれぞれ「１」，「２」，「３」であるとする。
【００６４】
まず、ステップＳ１において、錠装置１の錠側ＣＰＵ２６は、解錠ボタン１０が住宅居住者によって押下されオンにされたかどうか判断をする。オンの場合は処理をステップＳ２へと進め、オンされなかった場合は、処理を終了する。
【００６５】
ステップＳ２において、錠側ＣＰＵ２６は、ＥＥＰＲＯＭ２５からブロードＩＤを読み出し、駆動回路１５、リクエスト信号送信アンテナ１６を制御して、読み出したブロードＩＤを含んだブロードリクエスト信号をキー装置３０へと送信する。
【００６６】
キー装置３０は、送信されたブロードリクエスト信号をリクエスト信号受信アンテナ３７で受信し、キー側ＣＰＵ４４へ送出する。キー側ＣＰＵ４４は、受信したブロードリクエスト信号に含まれるブロードＩＤとＥＥＰＲＯＭ４３に格納されているブロードＩＤとの照合をする。キー側ＣＰＵ４４は、一致したときにはＥＥＰＲＯＭ４３からキー番号情報及びキーＩＤ情報を読み出して、キー番号情報及びキーＩＤ情報を含むアンサーバック信号を生成し、ウェイクＵＰ回路３９、アンサーバック信号送信アンテナ４０を制御して生成したアンサーバック信号を送信する。アンサーバック信号が送信されている際、キー側ＣＰＵ４４は、駆動回路４１、ブザー４２を制御してブザー音を出力させる。
【００６７】
ステップＳ３において、錠装置１は、キー装置３０から送信されたアンサーバック信号をアンサーバック信号受信アンテナ８で受信する。
【００６８】
アンサーバック信号受信アンテナ８で受信されたアンサーバック信号は、入力処理回路１４で、キー番号情報及びキーＩＤ情報が読み出されて錠側ＣＰＵ２６へと送出される。
【００６９】
ステップＳ４において、錠側ＣＰＵ２６は、アンサーバック信号から読み出したキー番号情報が「１」であるか否かを判断する。キー番号情報が「１」である場合は処理をステップＳ５へと進め、「１」でない場合は処理をステップＳ６へと進める。
【００７０】
ステップＳ５において、錠側ＣＰＵ２６は、ＥＥＰＲＯＭ２５に格納された情報の検索をして、アンサーバック信号から読み出したキーＩＤ情報が、キー番号情報「１」に対応したキーＩＤ情報であるか否か判断する。キーＩＤ情報がキー番号情報「１」に対応している場合は、処理を図６に示したステップＳ２２へと進め解錠をする。また、キーＩＤ情報がキー番号情報「１」に対応していない場合は処理をステップＳ１０へと進める。
【００７１】
ステップＳ６において、錠側ＣＰＵ２６は、アンサーバック信号から読み出したキー番号情報が「２」であるか否かを判断する。キー番号情報が「２」である場合は処理をステップＳ７へと進め、キー番号情報が「２」でない場合は処理をステップＳ８へと進める。
【００７２】
ステップＳ７において、錠側ＣＰＵ２６は、ＥＥＰＲＯＭ２５を検索して、アンサーバック信号から読み出したキーＩＤ情報が、キー番号情報「２」に対応したキーＩＤ情報であるか否かを判断する。キーＩＤ情報がキー番号情報「２」に対応している場合は、処理を図６に示したステップＳ２２へと進め解錠をする。また、キー番号情報「２」に対応していない場合は処理をステップＳ１０へと進める。
【００７３】
ステップＳ８において、錠側ＣＰＵ２６は、アンサーバック信号から読み出したキー番号情報が「３」であるか否かを判断する。キー番号情報が「３」である場合は処理をステップＳ９へと進め、キー番号情報が「３」でない場合は処理をステップＳ１０へと進める。
【００７４】
ステップＳ９において、錠側ＣＰＵ２６は、ＥＥＰＲＯＭ２５を検索して、アンサーバック信号から読み出したキーＩＤ情報が、キー番号情報「３」に対応したキーＩＤ情報であるか否かを判断する。キーＩＤ情報がキー番号情報「３」に対応している場合は、処理を図６に示したステップＳ２２へと進め解錠する。またキー番号情報「３」に対応していない場合は処理をステップＳ１０へと進める。
【００７５】
ステップＳ１０以下では、キー装置３０が無線電波通信可能範囲内に複数存在し混信が生じ、ブロードリクエスト信号では、判別が行えなかった場合に行う順次アクセスとなる。
【００７６】
ステップＳ１０において、錠装置１の錠側ＣＰＵ２６は、キー番号情報「１」が割り当てられたキー装置３０に対するリクエスト信号を生成し、駆動回路１５、リクエスト信号送信アンテナ１６を制御して、キー装置３０に送信する。
【００７７】
キー装置３０は、送信されたリクエスト信号をリクエスト信号受信アンテナ３７で受信し、キー側ＣＰＵ４４へ送出する。キー側ＣＰＵ４４は、これに応じてＥＥＰＲＯＭ４３からキー番号情報及びキーＩＤ情報を読み出して、キー番号情報及びキーＩＤ情報を含むアンサーバック信号を生成し、ウェイクＵＰ回路３９、アンサーバック信号送信アンテナ４０を制御して生成したアンサーバック信号を送信する。
【００７８】
ステップＳ１１において、錠装置１は、キー装置３０から送信されたアンサーバック信号をアンサーバック信号受信アンテナ８で受信する。
【００７９】
アンサーバック信号受信アンテナ８で受信されたアンサーバック信号は、入力処理回路１４で、キー番号情報及びキーＩＤ情報が読み出されて錠側ＣＰＵ２６へと送出される。
【００８０】
ステップＳ１２において、錠側ＣＰＵ２６は、アンサーバック信号から読み出したキー番号情報が「１」であるか否かを判断する。キー番号情報が「１」である場合は処理をステップＳ１３へと進め、「１」でない場合は処理を図６に示すステップＳ１４へと進める。
【００８１】
ステップＳ１３において、錠側ＣＰＵ２６は、ＥＥＰＲＯＭ２５に格納された情報の検索をして、アンサーバック信号から読み出したキーＩＤ情報が、キー番号情報「１」に対応したキーＩＤ情報であるか否かを判断する。キーＩＤ情報がキー番号情報「１」に対応している場合は、処理を図６に示したステップＳ２２へと進め解錠する。また、キー番号情報「１」に対応していない場合は処理を図６に示すステップＳ１４へと進める。
【００８２】
ステップＳ１４において、錠装置１の錠側ＣＰＵ２６は、キー番号情報「２」が割り当てられたキー装置３０に対するリクエスト信号を生成し、駆動回路１５、リクエスト信号送信アンテナ１６を制御して、キー装置３０に送信する。
【００８３】
キー装置３０は、送信されたリクエスト信号をリクエスト信号受信アンテナ３７で受信し、キー側ＣＰＵ４４へ送出する。キー側ＣＰＵ４４は、これに応じてＥＥＰＲＯＭ４３からキー番号情報及びキーＩＤ情報を読み出して、キー番号情報及びキーＩＤ情報を含むアンサーバック信号を生成し、ウェイクＵＰ回路３９、アンサーバック信号送信アンテナ４０を制御して生成したアンサーバック信号を送信する。
【００８４】
ステップＳ１５において、錠装置１は、キー装置３０から送信されたアンサーバック信号をアンサーバック信号受信アンテナ８で受信する。
【００８５】
アンサーバック信号受信アンテナ８で受信されたアンサーバック信号は、入力処理回路１４で、キー番号情報及びキーＩＤ情報が読み出されて錠側ＣＰＵ２６へと送出される。
【００８６】
ステップＳ１６において、錠側ＣＰＵ２６は、アンサーバック信号から読み出したキー番号情報が「２」であるか否かを判断する。キー番号情報が「２」である場合は処理をステップＳ１７へと進め、「２」でない場合は処理をステップＳ１８へと進める。
【００８７】
ステップＳ１７において、錠側ＣＰＵ２６は、ＥＥＰＲＯＭ２５を検索して、アンサーバック信号から読み出したキーＩＤ情報が、キー番号情報「２」に対応したキーＩＤ情報であるか否かを判断する。キーＩＤ情報がキー番号情報「２」に対応している場合は、処理をステップＳ２２へと進め解錠する。また、キー番号情報「２」に対応していない場合は処理をステップＳ１８へと進める。
【００８８】
ステップＳ１８において、錠装置１の錠側ＣＰＵ２６は、キー番号情報「３」が割り当てられたキー装置３０に対するリクエスト信号を生成し、駆動回路１５、リクエスト信号送信アンテナ１６を制御して、キー装置３０に送信する。
【００８９】
キー装置３０は、送信されたリクエスト信号をリクエスト信号受信アンテナ３７で受信し、キー側ＣＰＵ４４へ送出する。キー側ＣＰＵ４４は、これに応じてＥＥＰＲＯＭ４３からキー番号情報及びキーＩＤ情報を読み出して、キー番号情報及びキーＩＤ情報を含むアンサーバック信号を生成し、ウェイクＵＰ回路３９、アンサーバック信号送信アンテナ４０を制御して生成したアンサーバック信号を送信する。
【００９０】
ステップＳ１９において、錠装置１は、キー装置３０から送信されたアンサーバック信号をアンサーバック信号受信アンテナ８で受信する。
【００９１】
アンサーバック信号受信アンテナ８で受信されたアンサーバック信号は、入力処理回路１４で、キー番号情報及びキーＩＤ情報が読み出されて錠側ＣＰＵ２６へと送出される。
【００９２】
ステップＳ２０において、錠側ＣＰＵ２６は、アンサーバック信号から読み出したキー番号情報が「３」であるか否かを判断する。キー番号情報が「３」である場合は処理をステップＳ２１へと進め、「３」でない場合は処理を終了する。
【００９３】
ステップＳ２１において、錠側ＣＰＵ２６は、ＥＥＰＲＯＭ２５に格納された情報の検索をして、アンサーバック信号から読み出したキーＩＤ情報が、キー番号情報「３」に対応したキーＩＤ情報であるか否かを判断する。キーＩＤ情報がキー番号情報「３」に対応している場合は、処理をステップＳ２２へと進め解錠する。また、キー番号情報「３」に対応していない場合は処理を終了する。
【００９４】
ステップＳ２２において、錠側ＣＰＵ２６は、駆動回路２１、施解錠モータユニット２２を制御して解錠する。解錠すると、錠側ＣＰＵ２６は駆動回路１７、ブザー１８を制御してブザー音を放音し、駆動回路１９及び施解錠表示ＬＥＤ２０を制御して、ＬＥＤを点灯させユーザに解錠を知らせる。
【００９５】
なお、ステップＳ１において、解錠ボタン１０が押下された際、リセットキー１３がオンの場合にはリクエスト信号を送信しない。
【００９６】
また、解錠された錠装置１を施錠する際の動作は、図５、図６用いて説明した錠装置１を解錠する際の動作において、ステップＳ１で錠装置１の解錠ボタン１０に代えて施錠ボタン９を押下して施錠をする以外同様の動作であるため省略する。
【００９７】
このようにして住宅用施錠／解錠システムでは、錠装置１の解錠ボタン１０がオンとされてからブロードリクエストを錠装置１からキー装置３０に送信し、アンサーバック信号を受信することで正規のキー装置１である場合に解錠するので、常に錠装置１からキー装置３０に向かって無線信号を送出する必要なく、消費電力を低減することができ、錠装置１内の電池の電力を節約することができる。
【００９８】
さらに、この住宅用解錠／施錠システムでは、錠装置３０からキー装置３０にブロードリクエストを送出する時に、無線電波通信可能範囲に複数のキー装置３０が存在する場合は、複数のキー装置３０から錠装置１にアンサーバック信号が送信されて混信が発生する虞があり、この場合にはステップＳ１０に進んで各キー装置１ごとにリクエスト信号を送信する。しかし、無線電波送信範囲に複数のキー装置３０が存在することは稀であるので、多くの場合において応答時間の短縮を実現することができる。
【００９９】
なお、上述の実施形態では、住宅用の施錠／解錠システムについて説明したが、これに限らず、車両用の施錠／解錠システムやその他のシステムについても適用可能である。
【０１００】
【発明の効果】
請求項１に係る施錠／解錠システムによれば、複数のキー装置の第１記憶手段と、錠装置の第２記憶手段に共通なブロードＩＤを記憶し、キー装置の第１制御手段によって錠装置からの要求に応じてキー番号情報及びキーＩＤ情報を送信するよう制御し、錠装置の第２制御手段で、キー装置から送信されるキー番号情報及びキーＩＤ情報を認識して施錠又は解錠するように施錠／解錠手段を制御するので、施錠処理又は解錠処理における処理動作時間を短縮させることを可能とする。
【０１０１】
請求項２に係る施錠／解錠システムによれば、施錠／解錠操作入力部が操作される前では無線通信を行わず、施錠／解錠操作入力部が操作されたことに応じて情報送信要求を送信するので、錠装置での消費電力を低減することができる。
【０１０２】
請求項３に係る施錠／解錠方法は、施錠要求又は解錠要求を錠装置で入力するステップと、錠装置とキー装置とで共通して保有するブロードＩＤを含む情報送信要求を錠装置からキー装置に送信するステップと、内部のメモリに記憶されたキー番号情報及び他のキー装置と識別するためのキーＩＤ情報を読み出してキー装置から錠装置に応答信号として送信するステップと、ブロードＩＤを保有するキー装置からの応答信号に含まれるキー番号情報及びキーＩＤ情報を認識して錠装置によりドアの施錠又は解錠をするので、施錠処理又は解錠処理における処理動作時間を短縮させることを可能とする。
【０１０３】
請求項４に係る施錠／解錠方法によれば、このような施錠／解錠方法では、施錠／解錠操作入力部が操作されたことに応じて入力された施錠要求又は解錠要求を入力した後に、情報送信要求をキー装置に送信するので、錠装置での消費電力を低減することができる。
【図面の簡単な説明】
【図１】本発明を適用した住宅用施錠／解錠システムの錠装置の構成を説明をするためのブロック図である。
【図２】本発明を適用した住宅用施錠／解錠システムにおいて、キー装置の構成を説明するためのブロック図である。
【図３】本発明を適用した住宅用施錠／解錠システムにおいて、錠装置の外観構成を説明するための要部概略図である。
【図４】キー装置の外観構成を説明するための要部概略図である。
【図５】本発明を適用した住宅用施錠／解錠システムにおいて、解錠動作の処理手順を説明するためのフローチャートである。
【図６】本発明を適用した住宅用施錠／解錠システムにおいて、解錠動作の処理手順を説明するためのフローチャートである。
【符号の説明】
１  錠装置
２  電池
３  電源回路
６  電源供給回路
７  受信回路
８  アンサーバック信号受信アンテナ
９  施錠ボタン
１０  解錠ボタン
１１  ＩＤ登録ボタン
１５  駆動回路
１６  リクエスト信号送信アンテナ
２１  駆動回路
２２  施解錠モータユニット
２５  ＥＥＰＲＯＭ
２６  錠側ＣＰＵ
３０  キー装置
３１  電池
３５  電源供給回路
３６  受信回路
３７  リクエスト信号受信アンテナ
３９  ウェイクＵＰ回路
４０  アンサーバック信号送信アンテナ
４３  ＥＥＰＲＯＭ
４４  キー側ＣＰＵ
【図１】
0004458688.tif 000002
【図２】
0004458688.tif 000003
【図３】
0004458688.tif 000004
【図４】
0004458688.tif 000005
【図５】
0004458688.tif 000006
【図６】
0004458688.tif 000007